(57)【特許請求の範囲】
【請求項１】
開口縁部を備えた本体と、
この本体の前記開口縁部内に回転自在に支持され、刃を備えた回転刃盤と、
この回転刃盤の下方に位置して、前記回転刃盤の刃口を介して落下するかつお節の切
削片を受け入れる容器とを備えたかつお節削り器であって、
前記回転刃盤の上方に位置し、前記回転刃盤に載置されたかつお節を押える材料押え
部材と、
前記開口縁部の上に位置して、前記回転刃盤に置かれた前記かつお節を当接させて前
記かつお節の移動を阻止する壁と、
この壁に取り付けられたアタッチメントとを備え、
前記アタッチメントは、前記回転刃盤に対して垂直であって、垂直に延びる第１、第
２の垂直部と、この第２の垂直部と前記第１の垂直部との間に設けられた開口部とを有し
ている
ことを特徴とするかつお節削り器。
【請求項２】
開口縁部を備えた本体と、
この本体の前記開口縁部内に回転自在に支持され、刃を備えた回転刃盤と、
この回転刃盤の下方に位置して、前記回転刃盤の刃口を介して落下するかつお節の切
削片を受け入れる容器とを備えたかつお節削り器であって、
前記回転刃盤の上方に位置し、前記回転刃盤に載置されたかつお節を押える材料押え
部材と、
前記開口縁部の上に位置して、前記回転刃盤に置かれた前記かつお節を当接させて前
記かつお節の移動を阻止する壁と、
この壁に取り付けられたアタッチメントとを備え、
前記アタッチメントは、前記回転刃盤に対して垂直であって、垂直に延びる第１、第
２の垂直部と、この第２の垂直部と前記第１の垂直部との間に設けられた開口部とを有し
、
前記回転刃盤に載置されたかつお節の先端の細い部分が前記開口部を介して挿入され
、前記かつお節の先端の細い部分が前記第１の垂直部及び/又は前記第２の垂直部で支持
され、前記材料押え部材で前記かつお節を押えて、前記回転刃盤を回転させて前記かつお
節を削る
ことを特徴とするかつお節削り器の削り方法。
【請求項３】
アタッチメントは、壁に脱着自在な脚部を有している
ことを特徴とする請求項１記載のかつお節削り器。
【発明の詳細な説明】
【技術分野】
【０００１】
本発明は、かつお節削り器及びかつお節削り器の削り方法に係り、特に、不安定形状のかつお節が倒れるのを防いで、かつお節を安定して削ることができるかつお節削り器及びかつお節削り器の削り方法に関する。
【背景技術】
【０００２】
従来、回転刃盤に載置されたかつお節の先端を壁に当て、材料押え部材でかつお節を押えて、回転円盤を回転させてかつお節を削るかつお節削り器がある（例えば、特許文献１記載のもの）。
【先行技術文献】
【特許文献】
【０００３】
【特許文献１】特許第４３８４２９１号公報
【発明の概要】
【発明が解決しようとする課題】
【０００４】
しかしながら、上記かつお節削り器にあっては、かつお節の先端を壁に当て、材料押え部材でかつお節を押えて、回転円盤を回転させてかつお節を削る際、かつお節の不安定形状のため、かつお節が倒れてしまうという問題点があった。
【０００５】
本発明は、上記要望を考慮してなされたかつお節削り器及びかつお節削り器の削り方法を提供することを目的とする。
【課題を解決するための手段】
【０００６】
請求項１記載のかつお節削り器は、開口縁部を備えた本体と、この本体の前記開口縁部内に回転自在に支持され、刃を備えた回転刃盤と、この回転刃盤の下方に位置して、前記回転刃盤の刃口を介して落下するかつお節の切削片を受け入れる容器とを備えたかつお節削り器であって、前記回転刃盤の上方に位置し、前記回転刃盤に載置されたかつお節を押える材料押え部材と、前記開口縁部の上に位置して、前記回転刃盤に置かれた前記かつお節を当接させて前記かつお節の移動を阻止する壁と、この壁に取り付けられたアタッチメントとを備え、前記アタッチメントは、前記回転刃盤に対して垂直であって、垂直に延びる第１、第２の垂直部と、この第２の垂直部と前記第１の垂直部との間に設けられた開口部とを有しているものである。
【０００７】
また、請求項２記載のかつお節削り器の削り方法は、 開口縁部を備えた本体と、こ
の本体の前記開口縁部内に回転自在に支持され、刃を備えた回転刃盤と、この回転刃盤の
下方に位置して、前記回転刃盤の刃口を介して落下するかつお節の切削片を受け入れる容
器とを備えたかつお節削り器であって、前記回転刃盤の上方に位置し、前記回転刃盤に載
置されたかつお節を押える材料押え部材と、前記開口縁部の上に位置して、前記回転刃盤
に置かれた前記かつお節を当接させて前記かつお節の移動を阻止する壁と、この壁に取り
付けられたアタッチメントとを備え、前記アタッチメントは、前記回転刃盤に対して垂直
であって、垂直に延びる第１、第２の垂直部と、この第２の垂直部と前記第１の垂直部と
の間に設けられた開口部とを有し、前記回転刃盤に載置されたかつお節の先端の細い部分
が前記開口部を介して挿入され、前記かつお節の先端の細い部分が前記第１の垂直部及び
/又は前記第２の垂直部で支持され、前記材料押え部材で前記かつお節を押えて、前記回
転刃盤を回転させて前記かつお節を削るものである。
【０００８】
また、請求項３記載のかつお節削り器は、請求項１記載のかつお節削り器において、
アタッチメントは、壁に脱着自在な脚部を有しているものである。
【発明の効果】
【０００９】
請求項１記載のかつお節削り器によれば、回転刃盤に載置されたかつお節の先端の細い部分がアタッチメントの第２の垂直部と第１の垂直部との間に設けられた開口部を介して挿入され、かつお節の先端の細い部分がアタッチメントの第１の垂直部及び/又はアタッチメントの第２の垂直部で支持され、材料押え部材でかつお節を押えて、回転円盤を回転させてかつお節を削るため、不安定形状のかつお節が倒れるのを防いで、かつお節を安定して削ることができる。
【００１０】
また、請求項２記載のかつお節削り器の削り方法によれば、回転刃盤に載置されたかつお節の先端の細い部分がアタッチメントの第２の垂直部と第１の垂直部との間に設けられた開口部を介して挿入され、かつお節の先端の細い部分がアタッチメントの第１の垂直部及び/又はアタッチメントの第２の垂直部で支持され、材料押え部材でかつお節を押えて、回転刃盤を回転させてかつお節を削るため、不安定形状のかつお節が倒れるのを防いで、かつお節を安定して削ることができる。
【００１１】
また請求項３記載のかつお節削り器によれば、上述した請求項１記載の発明の効果に加え、かつお節が削られ、安定した形状になると、アタッチメントが逆に切削する際に支障を生じる場合があり、かかる場合に対応して、かつお節削り器からアタッチメントを除去することができる。
【図面の簡単な説明】
【００１２】
【図１】図１は、本発明の一実施例のかつお節削り器にかつお節を取り付ける状態の概略的斜視図である。
【図２】図２は、図１のかつお節削り器のアタッチメントにかつお節の先端を係止させた状態の概略的平面図である。
【図３】図３は、図２のかつお節削り器にかつお節を取り付けた状態の概略的平面図である。
【図４】図４は、図１のかつお節削り器にかつお節を取り付ける前の状態の概略的正面図である。
【図５】図５は、図３のかつお節削り器の概略的左側面図である。
【図６】図６は、図１のアタッチメントが取り付けた壁と開口縁部との関係を示す概略的斜視図である。
【図７】図７は、図１のアタッチメントの概略的平面図である。
【図８】図８は、図７の概略的正面図である。
【図９】図９（ａ）は、図２の一部の概略的平面図であり、図９（ｂ）は、図９（ａ）のアタッチメントを移動し、該アタッチメントにかつお節の先端を係止させた状態の概略的平面図である。
【発明を実施するための形態】
【００１３】
本発明の一実施例のかつお節削り器及びかつお節削り器の削り方法を図面を参照して説明する。
図１に示すＫはかつお節削り器で、かつお節削り器Ｋは、開口縁部１１（図６参照）を備えた本体１を有している。
本体１の開口縁部１１内には、回転自在に支持され、刃２１を備えた回転刃盤２が設けられている。
【００１４】
３は回転刃盤２に接続され、上方へ立設した回転軸で、この回転軸３の先端には、側方に延びるハンドル４が接続され、このハンドル４の先端には、手で握る握り部４１が設けられ、回転刃盤２は、手で握る握り部４１によって手動で回転するようになっている。
【００１５】
刃２１は、図２、図３及び図６に示すように、回転刃盤２の中心に略向かうように、例えば、放射状に複数（例えば、３個）設けられている。
５は容器で、容器５は、回転刃盤２の下方に位置して、回転刃盤２の刃口を介して落下するかつお節１０の切削片１０’を受け入れるようになっている。
６は材料押え部材で、材料押え部材６は、回転刃盤２の上方に位置し、回転刃盤２に載置されたかつお節１０を押えるものである。材料押え部材６のかつお節１０を押える部位は、鋸形状の爪６１となっている。
【００１６】
７は壁で、壁７は、開口縁部１１の上に位置して、回転刃盤２に置かれたかつお節１０を当接させてかつお節１０の移動を阻止するものである。
この壁７には、アタッチメン８が脱着自在に取り付けられている。アタッチメン８は、回転刃盤２に対して垂直であって、垂直に延びる第１、第２の垂直部８１、８２と、この第２の垂直部８２と第１の垂直部８１との間に設けられた開口部８３と、壁７に脱着自在な脚部８４とを有している。８５’はリブである。８５は、壁７に係止する係止部である。係止部８５は、図８記載の位置でも良いが、図８記載の位置に代えて、係止部８５を図示しないが、脚部８４の下端８４１（図８参照）に設けるようにしても良い。
【００１７】
従って、上記したかつお節削り器Ｋ（かつお節削り器の削り方法）によれば、回転刃盤２に載置されたかつお節１０の先端の細い部分がアタッチメント８の第２の垂直部８２と第１の垂直部８１との間に設けられた開口部８３を介して挿入され、かつお節１０の先端の細い部分がアタッチメント８の第１の垂直部８１及び/又はアタッチメント８の第２の垂直部８２で支持され（具体的には、第１の垂直部８１又は第２の垂直部８２又は第１の垂直部８１と第２の垂直部の両方で支持）、材料押え部材６でかつお節１０を押えて、回転円盤２を回転させてかつお節１０を削るため、不安定形状のかつお節１０が倒れるのを防いで、かつお節１０を安定して削ることができる。
かつお節１０が削られ、安定した形状（例えば、かつお節１０が削られて、かつお節１０の平坦面の面積が大きくなった形状）になると、アタッチメント８が逆に切削する際に支障を生じる場合があり、かかる場合に対応して、かつお節削り器Ｋからアタッチメント８を除去することができるようになっている。アタッチメント８は、例えば、合成樹脂で形成されている。
【符号の説明】
【００１８】
Ｋ      かつお節削り器
１      本体
２      回転刃盤
３      カルテ
５      容器
６      材料押え部材
７      壁
８      アタッチメント
１０    かつお節
１０’  切削片
１１    開口縁部
２１    刃
８１    第１の垂直部
８２    第２の垂直部８２
８３    開口部
【図１】
0006429241.tif 000002
【図２】
0006429241.tif 000003
【図３】
0006429241.tif 000004
【図４】
0006429241.tif 000005
【図５】
0006429241.tif 000006
【図６】
0006429241.tif 000007
【図７】
0006429241.tif 000008
【図８】
0006429241.tif 000009
【図９】
0006429241.tif 000010